(57)【要約】【課題】板状収納物を差し込みやすく、抜け落ちることのないホルダーを提供する。【解決手段】板状収納物のホルダーであって、折罫を介して、表面板と裏面板を有し、前記表面板には、前記折罫の上方に、上部の切れ目線と下部の細長い切抜孔が対向して、対となっていて、前記上部の切れ目線と下部の細長い切抜孔は、前記折罫に対し、ともに傾斜していて、且つ、前記切れ目線の両端は、下方に曲がっていることを特徴とする。更には、複数の、前記上部の切込線と下部の切抜孔の対が、横に並んで設けられ、隣り合う前記切れ目線の端部、及び、隣り合う前記切抜孔の端部が、上下に位置して、幅方向に直交するする方向において、重なる位置にあることを特徴とする。【選択図】図１
2011245825.tif 000002
【特許請求の範囲】
【請求項１】
板状収納物のホルダーであって、折罫を介して、表面板と裏面板を有し、前記表面板には、前記折罫の上方に、上部の切れ目線と下部の細長い切抜孔が対向して、対となっていて、前記上部の切れ目線と下部の細長い切抜孔は、前記折罫に対し、ともに傾斜していて、且つ、前記切れ目線の両端は、下方に曲がっていることを特徴とするホルダー。
【請求項２】
複数の、前記上部の切込線と下部の切抜孔の対が、横に並んで設けられ、隣り合う前記切れ目線の端部が、上下に位置して、幅方向に直交するする方向において、重なる位置にあり、且つ、隣り合う前記切抜孔の端部が、上下に位置して、幅方向に直交するする方向において、重なる位置にあることを特徴とする請求項１に記載のホルダー。
【請求項３】
前記切抜孔が下方に凸の湾曲した細長い切抜孔であることを特徴とする請求項１または２に記載のホルダー。
【発明の詳細な説明】
【技術分野】
【０００１】
本発明は、ホルダーに関するものである。特に板状収納物を収納するホルダーに関するものである。
【背景技術】
【０００２】
近年、スポーツ選手の写真や有名イラストレーターのイラスト等をカードとして、このカードのうちの数種類を非透明性の袋に封入して販売し、購入者同士で欲しいカード交換しあうように仕向けたいわゆるトレーディングカードと呼ばれるものの人気が増大している。
【０００３】
このトレーディングカードには、意図的・計画的に出現率を減らしたカードがある。一般的なトレーディングカードは「レギュラーカード」と呼ばれるのに対し、これらのトレーディングカードは「レアカード」と呼ばれることが多い。
【０００４】
これらトレーディングカードを非透明性の袋に複数のカードを封入しようとすると、搬送する際の圧力の影響で損傷が発生しやすい。たとえば数枚重ねたものの上の一枚がずれて重なっていたりすると圧力がかかってずれた部分が折れたりする問題が発生する。
【０００５】
特にこれら交換を前提としたトレーディングカードにおいては僅かなキズであっても大きな問題となるものである。そこで、キズ付かないように、トレーディングカードを１枚毎、不透明の袋に入れて、その複数の袋を保護のためのホルダーにセットして、販売することも考えられる。
【０００６】
一方、名刺などの方形状のカード状の板状収納物を収納するカードホルダーとして、透明な合成樹脂のシート基材２枚を重ね合わせて、その一方のシート基材に幅方向に配列され、且つ相互に平行に形成された複数の斜めのスリットを含み、これらのスリットをシート基材の幅方向に直交する方向において隣接のスリットと一部重なり合うように配置し、それぞれのスリットを通して２枚のシート基材間にカードを収納可能にしたカードホルダーがあった。（特許文献１）
公知文献を以下に示す。
【先行技術文献】
【特許文献】
【０００７】
【特許文献１】実開昭６１−１４８６７号公報
【発明の概要】
【発明が解決しようとする課題】
【０００８】
上記のカードホルダーにおいては、カード状の板状収納物を収納しようとすると、名刺やトレーディングカード等のカード状の板状収納物をホルダーに刺し込みにくいといった問題があった。
【０００９】
本発明は、名刺やトレーディングカード等の板状収納物を差し込みやすく、抜け落ちることのないホルダーを提供する。
【課題を解決するための手段】
【００１０】
本発明は係る課題に鑑みなされたものであり、請求項１の発明は、板状収納物のホルダ
ーであって、折罫を介して、表面板と裏面板を有し、前記表面板には、前記折罫の上方に、上部の切れ目線と下部の細長い切抜孔が対向して、対となっていて、前記上部の切れ目線と下部の細長い切抜孔は、前記折罫に対し、ともに傾斜していて、且つ、前記切れ目線の両端は、下方に曲がっていることを特徴とするホルダーである。
【００１１】
本発明のホルダーは、以上のような構成であって、トレーディングカードや、それを収納した平袋状の板状収納物を差し込むとき、下部は細長い切抜孔であるので、差し込みやすい。また、上部の切れ目線は、両端が下方に曲がっているので、切れ目線と切れ目線の両端部を結ぶ線で囲まれた部分が、切れ目線の両端部を結ぶ線で折れやすくなり、トレーディングカードや、それを収納した平袋状の板状収納物の上方が押し込みやすく、容易に差し込める。また、折れた、切れ目線と切れ目線の両端部を結ぶ線で囲まれた部分が、戻ろうとするので、トレーディングカードや、それを収納した平袋等の板状収納物をはさむようになり、動きにくくなる。
【００１２】
更に、切れ目線や切抜孔が斜めに設けられているので、トレーディングカードや、それを収納した平袋等の板状収納物の幅より長くすることができるので、更に差し込みやすい。また、表面板の下方は折罫を介して、裏面板に接続しているので、トレーディングカードや、それを収納した平袋等の板状収納物が、抜け落ちることがない。
【００１３】
本発明の請求項２の発明は、複数の、前記上部の切込線と下部の切抜孔の対が、横に並んで設けられ、隣り合う前記切れ目線の端部が、上下に位置して、幅方向に直交するする方向において、重なる位置にあり、且つ、隣り合う前記切抜孔の端部が、上下に位置して、幅方向に直交するする方向において、重なる位置にあることを特徴とする請求項１に記載のホルダーである。
【００１４】
本発明はさらに、上記の構成としたことから、トレーディングカードや、それを収納した平袋等の板状収納物を隙間無く収納でき、ホルダーを小さくすることができる。
【００１５】
本発明の請求項３の発明は、前記切抜孔が下方に凸の湾曲した細長い切抜孔であることを特徴とする請求項１または２に記載のホルダーである。
【００１６】
本発明はさらに、切抜孔を下方に凸の湾曲した細長い切抜孔としたので、その切抜孔に差し込んだトレーディングカードや、それを収納した平袋等の板状収納物の表面の見える部分が広くなる。
【発明の効果】
【００１７】
本発明のホルダーは、以上のように構成されているので、トレーディングカードや、それを収納した平袋等の板状収納物が差し込みやすく、抜けて落ちることがない。
【００１８】
さらには、トレーディングカードや、それを収納した平袋等の寸法が大きめの板状収納物に対して、ホルダーを小さくでき、また、さらには、トレーディングカードや、それを収納した平袋等の板状収納物の表面の見える部分を広くすることができる。
【図面の簡単な説明】
【００１９】
【図１】本発明のホルダーの一例の展開図である。
【図２】本発明のホルダーの一例に板状収納物を差し込んだ状態を示す説明図である。
【図３】本発明のホルダーの一例に板状収納物を差し込み、折り畳んだ状態を説明する平面図である。
【発明を実施するための形態】
【００２０】
以下本発明を実施するための形態につき説明する。
【００２１】
図１は、本発明のホルダーの一例の展開図、図２は、本発明のホルダーの一例に板状収納物を差し込んだ状態を示す説明図、図３は、本発明のホルダーの一例に板状収納物を差し込み、折り畳んだ状態を説明する平面図である。
【００２２】
本例のホルダーは、板紙や段ボールを図１の展開図に示す形状に打ち抜き、折罫４、６、８、８ｂを設けたブランクを、折罫４、６、８、８ｂより折り曲げて形成する。尚、折罫４、６、８、８ｂは、押罫または破線状のカット線で設けている。
【００２３】
図１のように、本例のホルダー１は、図の上方より表面板２と裏面板３が、折罫４を介して設けられ、裏面板３には、その下方に保護板５が折罫６を介して設けられている。表面板２の左右には、それぞれフラップ７、７ｂが、折罫８、８ｂを介して設けられている。
【００２４】
表面板２には、折罫１の上方に、上部の切れ目線９と下部の細長い切抜孔１０が対向して、対となって設けられている。本例では、４対の切れ目線９と切抜孔１０が設けられている。
【００２５】
トレーディングカードを収納した、平袋等の寸法が大きめの板状収納物１８は、その下端部を切抜孔１０に差し込み、上端部を切れ目線９に差し込んで固定する仕組みになっている。
【００２６】
隣り合った対どうしは、隣り合う切れ目線９の端部が、切れ目線９同士で上下に位置して、幅方向に直交する方向において、重なる位置になっていて、また、隣り合う切抜孔１０の端部もまた、切抜孔１０同士で上下に位置して、幅方向に直交する方向において、重なる位置になっている。このようにすることによって、トレーディングカードを収納した平袋等の寸法が大きめの板状収納物１８を重なることなく、隙間を小さくして固定することができる。
【００２７】
切れ目線９と切抜孔１０は、折罫４に対し、ともに左下がりに傾斜している。そして、切れ目線９の両端は、下方に曲がっている。本例では湾曲しているが、屈曲していても良い。これにより、切れ目線９と切抜孔１０の長さを、トレーディングカードを収納した平袋等の板状収納物１８の幅より長くできるので、差し込みやすくなっている。
【００２８】
また、切抜孔１０は下方に凸の湾曲した細長い切抜孔となっている。これによって、切抜孔１０の長さを更に長くでき、より差し込みやすくなると同時に、差し込んだトレーディングカードを収納した平袋等の板状収納物１８の表面の見える範囲を広くすることができる。
【００２９】
切れ目線９の上方には差込孔１１、１１ｂが左右２つ設けられている。この差込孔１１、１１ｂは、ホルダー１にトレーディングカードを収納した平袋等の板状収納物１８をセットして、罫線４，６、８、８ｂを折って組み立てたとき、保護板５の下端に設けられた差込片１２、１２ｂを差し込み、留めるためのものである。
【００３０】
差込孔１１、１１ｂの上方には、別の仕組みのトレーディングカード等の比較的寸法の小さい板状収納物１７の固定機構があり、板状収納物１７の左下隅を固定するための左固定孔１３と、右下隅を固定するための右固定孔１４、及び、上辺を固定する上固定孔１５が、組み合わされて、３組が横に並んで設けられている。
【００３１】
左固定孔１３はＬ字型の孔を１８０度回転させた形状で、トレーディングカード等の板状収納物１７の左下隅を差し込んで固定できる。また、右固定孔１４は左固定孔１３と線対称の形状になっていて、同様に板状収納物１７の右下隅を差し込んで固定できる。そして、上固定孔１５は大括弧を開いたほうが上になるように回転させた形状をしていて、孔の上端から下方に舌状片が伸びていて、板状収納物１７の上辺を舌状片で押さえて固定するようになっている。
【００３２】
保護板５には、板状収納物１７と板状収納物１８をセットしたホルダー１を、折って組み立てたときに、左固定孔１３、右固定孔１４、及び、上固定孔１５で固定されたトレーディングカード等の板状収納物１７の一部が見えるように、トレーディングカード等の板状収納物１７より小さい抜き孔が窓１６として、左固定孔１３、右固定孔１４、及び、上固定孔１５で挟まれる位置に対応し、３つ設けられている。
【００３３】
図２は、本発明のホルダーの一例に板状収納物１７、１８を差し込んだ状態を示す説明図である。左固定孔１３と、右固定孔１４、及び、上固定孔１５が、組み合わされて、前述のように、板状収納物１７を固定している。本例では、この部分には、それぞれ１枚のトレーディングカードが板状収納物１７として、直接固定されている。
【００３４】
切れ目線９と切抜孔１０には、トレーディングカードが1枚入った背貼りシールの平袋である板状収納物１８が固定されている。板状収納物１８は、その下端部を切抜孔１０に差し込み、上端部を切れ目線９に差し込んで固定する仕組みになっている。
【００３５】
図３は、本発明のホルダーの一例に板状収納物１７と１８を差し込み、折り畳んだ状態を説明する平面図である。
【００３６】
図２のように、ホルダー１に、トレーディングカードである、板状収納物１７、及び、トレーディングカードが1枚入った背貼りシールの平袋である、板状収納物１８を固定させ、罫線８を折って、フラップ７を背面側に折り返し、次に、罫線４を折って、裏面板３を背面側に折り返す。そして、保護板５を折罫６で折って、表面板２に重ね、差込片１２、１２ｂを差込孔１１、１１ｂに差し込んで、ホルダー１を固定する。
【００３７】
これによって、図３のような、本発明のホルダー1の一例に板状収納物１７と１８を差し込み、折り畳んだホルダー１が得られる。
【００３８】
表面板２の左固定孔１３と、右固定孔１４、及び、上固定孔１５に固定されている、トレーディングカードである板状収納物１７の一部分が、保護板５の窓１６を通して、見えるようになっている。また、表面板２の切れ目線９と切抜孔１０に固定されている、トレーディングカードが1枚入った背貼りシール袋の板状収納物１８は、保護板５がこの部分には無いので、板状収納物１８の上下の中程の部分が直接見えていて、板状収納物１８の平袋に施された美粧性のデザインなどを見ることができるようになっている。
【００３９】
板状収納物１８は、その下端部を切抜孔１０に差し込み、上端部を切れ目線９に差し込んで固定されているが、罫線４によって、裏面板３が折り返されて切抜孔１０及び切れ目線９に差し込んで表面板２の裏側へ出た上下の端部が裏面板３で抑えられているので、下に落ちてしまうことはない。
【００４０】
また、上部の切れ目線９は、両端が下方に曲がっていて、切れ目線９の両端部を結ぶ線で折れて、板状収納物１８の上端部が差し込まれているので、折れが戻ろうとして、板状収納物１８の上端部を挟み込むので、板状収納物１８が動くことができにくくなる。
【００４１】
また、フラップ７、７ｂが罫線８、８ｂで折り返されていて、また、上方も保護板５が、表面板２へ折り返されているので、仮に動いたとしても、板状収納物１８がホルダー１から抜け落ちることがない。
【符号の説明】
【００４２】
１・・・ホルダー
２・・・表面板
３・・・裏面板
４、６、８、８ｂ・・・折罫
５・・・保護板
７、７ｂ・・・フラップ
９・・・切れ目線
１０・・・切抜孔
１１、１１ｂ・・・差込孔
１２、１２ｂ・・・差込片
１３・・・左固定孔
１４・・・右固定孔
１５・・・上固定孔
１６・・・窓
１７、１８・・・板状収納物
【図１】
2011245825.tif 000003
【図２】
2011245825.tif 000004
【図３】
2011245825.tif 000005